(57)【特許請求の範囲】
【請求項１】
電子機器に内蔵されたメモリカードの保持機構において、
前記電子機器内部において前記メモリカードを格納してスライドすることによって該メモリカードを一次的に保持するソケットと、
前記電子機器内部に固定され、前記ソケットをスライドさせるスライド構造を有するソケットベースと、
前記ソケットがスライドした状態で前記電子機器に装着され、該ソケットを支持して該メモリカードを二次的に保持するバッテリーと、を具備し、
前記バッテリーは、前記ソケットに対向する面に凸部を有し、前記電子機器に装着された際に該凸部によって前記ソケットの端部を支持して前記メモリカードを二次的に保持し、
前記ソケットベースは、前記ソケットがスライドしてソケットとソケットベースが接する位置にソケットベース嵌合部を有し、
前記ソケットは、スライドした際に前記ソケットベース嵌合部に嵌合するソケット嵌合部を有することを特徴とするメモリカードの保持機構。
【請求項２】
前記ソケットベース嵌合部及び前記ソケット嵌合部は、それぞれの形状が、凹及び凸であるか、凸及び凹であるかのいずれか１つであることを特徴とする請求項１に記載のメモリカードの保持機構。
【請求項３】
前記ソケットは、前記バッテリーに対向する面に凸部を有し、
前記バッテリーは、前記電子機器に装着された際に前記凸部を支持して前記メモリカードを二次的に保持することを特徴とする請求項１または請求項２に記載のメモリカードの保持機構。
【請求項４】
前記ソケットの凸部と前記バッテリーの凸部とが接触する各接触面は、傾斜していることを特徴とする請求項３に記載のメモリカードの保持機構。
【請求項５】
電子機器に内蔵されたメモリカードの保持機構において、
前記電子機器内部において前記メモリカードを格納してスライドすることによって該メモリカードを一次的に保持するソケットと、
前記電子機器内部に固定され、前記ソケットをスライドさせるスライド構造を有するソケットベースと、
前記ソケットがスライドした状態で前記電子機器に装着され、該ソケットを支持して該メモリカードを二次的に保持するバッテリーと、を具備し、
前記ソケットは、前記バッテリーに対向する面に凸部を有し、
前記バッテリーは、前記ソケットに対向する面に凹部を有し、前記電子機器に装着された際に該凹部によって前記ソケットの凸部を支持して前記メモリカードを二次的に保持し、
前記ソケットベースは、前記ソケットがスライドしてソケットとソケットベースが接する位置にソケットベース嵌合部を有し、
前記ソケットは、スライドした際に前記ソケットベース嵌合部に嵌合するソケット嵌合部を有することを特徴とするメモリカードの保持機構。
【請求項６】
前記ソケットベース嵌合部及び前記ソケット嵌合部は、それぞれの形状が、凹及び凸であるか、凸及び凹であるかのいずれか１つであることを特徴とする請求項５に記載のメモリカードの保持機構。
【請求項７】
前記ソケットの凸部と前記バッテリーの凹部とが接触する各接触面は、傾斜していることを特徴とする請求項５または請求項６に記載のメモリカードの保持機構。
【請求項８】
メモリカードの保持機構を備えた電子機器において、
前記電子機器内部において前記メモリカードを格納してスライドすることによって該メモリカードを一次的に保持するソケットと、
前記電子機器内部に固定され、前記ソケットをスライドさせるスライド構造を有するソケットベースと、
前記ソケットがスライドした状態で前記電子機器に装着され、該ソケットを支持して該メモリカードを二次的に保持するバッテリーと、を具備し、
前記バッテリーは、前記ソケットに対向する面に凸部を有し、前記電子機器に装着された際に該凸部によって前記ソケットの端部を支持して前記メモリカードを二次的に保持し、
前記ソケットベースは、前記ソケットがスライドしてソケットとソケットベースが接する位置にソケットベース嵌合部を有し、
前記ソケットは、スライドした際に前記ソケットベース嵌合部に嵌合するソケット嵌合部を有することを特徴とする電子機器。
【請求項９】
前記ソケットベース嵌合部及び前記ソケット嵌合部は、それぞれの形状が、凹及び凸であるか、凸及び凹であるかのいずれか１つであることを特徴とする請求項８に記載の電子機器。
【請求項１０】
前記ソケットは、前記バッテリーに対向する面に凸部を有し、
前記バッテリーは、前記電子機器に装着された際に前記凸部を支持して前記メモリカードを二次的に保持することを特徴とする請求項８または請求項９に記載の電子機器。
【請求項１１】
前記ソケットの凸部と前記バッテリーの凸部とが接触する各接触面は、傾斜していることを特徴とする請求項１０に記載の電子機器。
【請求項１２】
電子機器に内蔵されたメモリカードの保持機構において、
前記電子機器内部において前記メモリカードを格納してスライドすることによって該メモリカードを一次的に保持するソケットと、
前記電子機器内部に固定され、前記ソケットをスライドさせるスライド構造を有するソケットベースと、
前記ソケットがスライドした状態で前記電子機器に装着され、該ソケットを支持して該メモリカードを二次的に保持するバッテリーと、を具備し、
前記ソケットは、前記バッテリーに対向する面に凸部を有し、
前記バッテリーは、前記ソケットに対向する面に凹部を有し、前記電子機器に装着された際に該凹部によって前記ソケットの凸部を支持して前記メモリカードを二次的に保持し、
前記ソケットベースは、前記ソケットがスライドしてソケットとソケットベースが接する位置にソケットベース嵌合部を有し、
前記ソケットは、スライドした際に前記ソケットベース嵌合部に嵌合するソケット嵌合部を有することを特徴とする電子機器。
【請求項１３】
前記ソケットベース嵌合部及び前記ソケット嵌合部は、それぞれの形状が、凹及び凸であるか、凸及び凹であるかのいずれか１つであることを特徴とする請求項１２に記載の電子機器。
【請求項１４】
前記ソケットの凸部と前記バッテリーの凹部とが接触する各接触面は、傾斜していることを特徴とする請求項１２または請求項１３に記載の電子機器。
【発明の詳細な説明】
【０００１】
【発明の属する技術分野】
電子機器の内部においてメモリカードを保持するための機構に関し、特に、メモリカードを格納して電子機器内部の所定位置に固定するためのソケットと、該電子機器に電源を供給するバッテリーが隣接して配置される場合のメモリカードの保持機構及び該保持機構を備えた電子機器に関する。
【０００２】
【従来の技術】
近年、各種電子機器において、ＩＣチップに所定の情報を記憶したメモリカードが用いられている。例えば、Ｗ−ＣＤＭＡ端末では、各ユーザの電話番号や個人情報等を記憶したＵＳＩＭ（universal subscriber identity module）カードをある端末から他の端末に入れ替えることで、複数の端末において同一の電話番号を利用することが可能となる。
【０００３】
ＵＳＩＭカード等のメモリカードは電子機器との間で情報を交換するための端子を有している。ここで、情報交換に際しては、このメモリカード側の端子と電子機器側に設けられた端子とが完全に接触した状態が維持されなければならない。このため、一般にメモリカードは電子機器に内蔵されるソケットによって格納され、電子機器内部の所定位置に固定される。
【０００４】
ところで、これら電子機器においては、特にそれが携帯電話やＰＤＡ（Personal Digital Assistant）といった小型のものである場合、ユーザによって携帯されるため、パーソナルコンピュータ（ＰＣ）等、ほかの電子機器と比較して、持ち運びによる振動やユーザが誤って落下させたことによる衝撃を受ける可能性が高い。
【０００５】
その結果、電子機器に生じたこれらの振動や衝撃が、内蔵されるメモリカードを格納したソケットに伝わり、電子機器内部においてメモリカードの固定を適切に保持できない事態が生じてしまう。そこで、これらの小型電子機器においては、外部から振動や衝撃が加えられた場合であっても、メモリカードを機器内部の適切な位置に保持する機構が必要となる。
【０００６】
このため、従来、ソケットのロック機構を複雑化し、ソケット自体でより強固にメモリカードを保持する種種の機構が考えられている。
【０００７】
【発明が解決しようとする課題】
しかしながら、上記の従来技術においては、ソケットをロックするためにユーザが意識的に行なわなければならない動作が増えてしまっていた。また、ソケットのロック機構が複雑化することによって、部品点数の増加や製造工程の増加・複雑化が生じ、製造コストが高くなってしまうという問題があった。
【０００８】
そこで、本発明は、従来の技術における課題に鑑み、ユーザの手間を抑えるとともに、製造コストの低減を実現するメモリカードの保持機構および該保持機構を備えた電子機器を提供することを目的とする。
【０００９】
【課題を解決するための手段】
本発明のメモリカードの保持機構は、電子機器に内蔵されたメモリカードの保持機構において、電子機器内部においてメモリカードを格納してスライドすることによって該メモリカードを一次的に保持するソケットと、前記電子機器内部に固定され、前記ソケットをスライドさせるスライド構造を有するソケットベースと、前記ソケットがスライドした状態で前記電子機器に装着され、ソケットを支持して該メモリカードを二次的に保持するバッテリーと、を具備し、前記バッテリーは、前記ソケットに対向する面に凸部を有し、前記電子機器に装着された際に該凸部によって前記ソケットの端部を支持して前記メモリカードを二次的に保持し、前記ソケットベースは、前記ソケットがスライドしてソケットとソケットベースが接する位置にソケットベース嵌合部を有し、前記ソケットは、スライドした際に前記ソケットベース嵌合部に嵌合するソケット嵌合部を有することを特徴とする。
また、本発明のメモリカードの保持機構は、電子機器に内蔵されたメモリカードの保持機構において、前記電子機器内部において前記メモリカードを格納してスライドすることによって該メモリカードを一次的に保持するソケットと、前記電子機器内部に固定され、前記ソケットをスライドさせるスライド構造を有するソケットベースと、前記ソケットがスライドした状態で前記電子機器に装着され、該ソケットを支持して該メモリカードを二次的に保持するバッテリーと、を具備し、前記ソケットは、前記バッテリーに対向する面に凸部を有し、前記バッテリーは、前記ソケットに対向する面に凹部を有し、前記電子機器に装着された際に該凹部によって前記ソケットの凸部を支持して前記メモリカードを二次的に保持し、前記ソケットベースは、前記ソケットがスライドしてソケットとソケットベースが接する位置にソケットベース嵌合部を有し、前記ソケットは、スライドした際に前記ソケットベース嵌合部に嵌合するソケット嵌合部を有することを特徴とする。
【００１０】
以上のような構成によれば、電子機器にバッテリーを装着するだけで、追加的な動作をユーザに求めることなく、メモリカードをソケットに格納して電子機器内部の所定位置に固定・保持する機構を強化可能である。また、ソケットの構造を複雑化して部品点数を増加させる必要がないので、製造コストの低減も図れる。
【００１１】
また、本発明の電子機器は、メモリカードの保持機構を備えた電子機器において、電子機器内部においてメモリカードを格納してスライドすることによってメモリカードを一次的に保持するソケットと、前記電子機器内部に固定され、前記ソケットをスライドさせるスライド構造を有するソケットベースと、ソケットがスライドした状態で前記電子機器に装着され、ソケットを支持してメモリカードを二次的に保持するバッテリーと、を具備し、前記バッテリーは、前記ソケットに対向する面に凸部を有し、前記電子機器に装着された際に該凸部によって前記ソケットの端部を支持して前記メモリカードを二次的に保持し、前記ソケットベースは、前記ソケットがスライドしてソケットとソケットベースが接する位置にソケットベース嵌合部を有し、前記ソケットは、スライドした際に前記ソケットベース嵌合部に嵌合するソケット嵌合部を有することを特徴とする。
さらに、本発明の電子機器は、電子機器に内蔵されたメモリカードの保持機構において、前記電子機器内部において前記メモリカードを格納してスライドすることによって該メモリカードを一次的に保持するソケットと、前記電子機器内部に固定され、前記ソケットをスライドさせるスライド構造を有するソケットベースと、前記ソケットがスライドした状態で前記電子機器に装着され、該ソケットを支持して該メモリカードを二次的に保持するバッテリーと、を具備し、前記ソケットは、前記バッテリーに対向する面に凸部を有し、前記バッテリーは、前記ソケットに対向する面に凹部を有し、前記電子機器に装着された際に該凹部によって前記ソケットの凸部を支持して前記メモリカードを二次的に保持し、前記ソケットベースは、前記ソケットがスライドしてソケットとソケットベースが接する位置にソケットベース嵌合部を有し、前記ソケットは、スライドした際に前記ソケットベース嵌合部に嵌合するソケット嵌合部を有することを特徴とする。
【００１２】
以上のような構成によれば、バッテリーを装着することによって、追加的な動作をユーザに求めることなく、電子機器内部のメモリカード保持機構を強化することが可能となる。また、ソケットおよびソケットベースの構造を複雑化し、部品点数を増加させる必要がないので、電子機器としての製造コストの低減が図れる。
【００１３】
【発明の実施の形態】
以下、図面を参照しながら本発明の実施の形態について、メモリカードソケットのロック機構から説明する。図１は、本発明を適用した一実施形態に係る電子機器におけるソケットとバッテリーの位置関係を示した斜視図である。
本実施形態に係る電子機器は、下側筐体１、上側筐体２、バッテリー蓋３、バッテリー４、メモリカード５、ソケットベース６、ソケット７を有している。図１に示すように、ソケット７は、通常、電子機器内部に固定されたソケットベース６に取り付けられ、下側筐体１の近傍に配置される。
【００１４】
この下側筐体１には、主に、バッテリー４を格納するための隙間が設けられ、その隙間にバッテリー４が配置される。さらに、バッテリー蓋３を下側筐体１の外側からバッテリー４に被せる形状で電子機器筐体の一部として装着することで、バッテリー４をその隙間に保持して外部からの振動や衝撃から保護している。したがって、メモリカード５が格納されるソケット７およびソケットベース６は、電子機器内部においてバッテリー４の内側に位置している。なお、下側筐体１に対向して合わせられる上側筐体２には、操作ボタンや表示画面等が設けられる。
【００１５】
図２は、ソケット７にメモリカード５を挿入する動作を示した斜視図である。メモリカード５は、図２に示すようにソケット７をソケットベース６から起こした状態で、矢印の方向に沿ってソケット７に格納される。ここで、ソケット７はソケットベース６との接合部６−Ｊを中心に回動することが可能となっている。
【００１６】
図３は、ソケット７にメモリカード５が挿入された後に、ソケット７がソケットベース６上をスライドしてメモリカード５が固定される動作を示した斜視図である。図２に示した状態でメモリカード５が挿入された後、ソケット７は接合部６−Ｊを中心に回動してソケットベース６上に収まる。つぎに、ソケット７またはソケットベース６に設けられた溝等から構成される所定のスライド構造にしたがって、ソケット７はソケットベース６上を図３の矢印の方向にスライドして図３に示す状態で固定される。
【００１７】
図４（Ａ）は、ソケット７がスライドされて、ソケットベース６に嵌合される動作を示したソケット７の側面図であり、図４（Ｂ）は、図４（Ａ）に示した円内の詳細側面図である。
【００１８】
ソケット７は、ソケットベース６上を図４（Ａ）の矢印の方向にスライドして、図４（Ｂ）の破線の位置まで移動することでソケットベース６に嵌合し、固定される。ここでは、ソケットベース６またはソケット７の一方に凸部、他方に凹部を設けることで、ソケット７がソケットベース６に固定される。その結果、ソケット７に格納されたメモリカード５に設けられた端子とソケットベース６に設けられた電子機器側の端子との距離を一定に保ったままメモリカード５を保持することができる。
【００１９】
すなわち、ソケット７が図４（Ａ）の矢印の方向と逆方向にスライドすることを防止できるため、メモリカード５の端子とソケットベース６の端子の接触をより確実に維持することが可能となり、これにより、両端子の接触不良によって情報交換に異常をきたす可能性を抑えることができる。
【００２０】
図５は、本発明の第１および第２の実施形態に係るバッテリーを示した斜視図である。また、図６（Ａ）は電子機器に内蔵されたソケットの配置について該電子機器をバッテリー蓋側から見た上面図であり、図６（Ｂ）は電子機器の図６（Ａ）に示した線分Ａ−Ａの断面図である。
【００２１】
ここで、突起４−Ａがバッテリー４のソケットに対向する面上に設けられている。この突起４−Ａは、図６（Ｂ）に示すように、ソケット７がソケットベース６上に固定された状態でバッテリー４が電子機器に固定された際に、ソケット７の上面からその端部を固定できる位置に配置される。
【００２２】
この突起４−Ａは、必ずしも図５に示す位置に設ける必要はなく、ソケット７のスライドを防止することができれば、このスライドの軌跡上あるいは、その近傍に設けてもよい。したがって、ソケット７の設置位置が図６（Ａ）および図６（Ｂ）に示した位置と異なる場合には、突起４−Ａの位置も図５に示した位置とは異なるものとなる。
【００２３】
図７は、本発明の第１の実施形態に係るソケットを示した斜視図であり、図８は第１の実施形態において、バッテリーに設けられた突起がソケットを係止する構造について示した図６（Ｂ）の円内の詳細断面図である。
【００２４】
ここでは、ソケット７からメモリカード５を取り出す際、まずソケット７はその固定を解除するためにその上面部（「ＯＰＥＮ」と記載のある面）に記載された矢印（「ＯＰＥＮ」のわきに書かれたもの）の方向にスライドされ、その後、ソケットベース６との接合点６−Ｊを中心に回動して図２に示したように起こされる。すなわち、メモリカード５を取り出す際にソケット７がスライドする方向は、図７においては右下方向、図８においては右方向となる。
【００２５】
したがって、この場合、バッテリー４に設けられた突起４−Ａは、ソケット７の一端部７−Ｓにおいてこれを支持し、ソケット７がソケットベース６上を図７の矢印方向にスライドすることを阻むように配置される。
【００２６】
ここで、図８に示すように、ソケットベース６は基板８上に設けられ、メモリカード５と接続して電子機器内部のほかのユニットとの間で情報のやり取りをするための端子が設けられている。
【００２７】
ソケットベース６の上には、ソケットベース６と接合したソケット７によって、メモリカード５がその端子がソケットベース６の端子に接触するように固定される。すなわち、ソケットベース６の端子はその上面に設けられるので、メモリカード５の端子はメモリカード５の下面に配置される。このソケット７は、ユーザが所定のスライド方向（図８における左右方向）に押すことによって可動である。すなわち、このソケット７を左右に動かすことによって、ソケット７に格納したメモリカード５を電子機器内部において固定して保持し、またメモリカード５をソケット７から取り出す際に固定を解除することが可能となる。
【００２８】
メモリカード５の上には、電子機器に電源を供給するバッテリー４が配置される。図８に示すように、バッテリー４においては、メモリカード５の右端部の上方でソケット７の右端面７−Ｓに接触するように突起４−Ａが設けられる。また、バッテリー４の上には、バッテリー４を電子機器内部に保持するためのバッテリー蓋３が配置される。
【００２９】
ソケット７の端面７−Ｓに接触する突起４−Ａの一端面は、ソケット７の端面を係止しやすいようにバッテリー４の面に対して垂直に突き出ている。これにより、突起４−Ａがソケット７の端面７−Ｓにおいて確実に接触および支持してソケット７の固定が強化され、ソケット７のスライドの逆行を防止しメモリカード５とソケットベース６との端子接続が確実なものとなり、確実な情報交換を実行可能となる。
【００３０】
以上のような構成によれば、メモリカード５をソケット７に格納して電子機器内部の所定位置に一次的に保持する機構に加えて、電子機器にバッテリー４を装着することでソケット７を支持してメモリカード５を二次的に保持するため、追加的な動作をユーザに求めることなくメモリカード５の保持強化できる。また、ソケット７およびソケットベース６の構造を複雑化し、部品点数を増加させる必要がないので、製造コストの低減がはかれる。
【００３１】
図９は、本発明の第２の実施形態に係るソケットを示した斜視図であり、図１０は第２の実施形態において、バッテリーに設けられた突起がソケットを係止する構造について示した図６（Ｂ）の円内の詳細断面図である。
【００３２】
本実施形態はソケット７の形状を変更したことのみが第１の実施形態と異なり、図７における端面７−Ｓに相当する位置の付近に突起７−Ａを設ける点に特徴がある。この場合、第１の実施形態と較べ、ソケット７の突起７−Ａとバッテリー４の突起４−Ａが接触する面積が大きい。このため、より確実にソケット７のスライドを防止することが可能となる。
【００３３】
図１１は、本発明の第３の実施形態に係るバッテリーを示した斜視図である。また、図１２は、本発明の第３の実施形態に係るソケットを示した斜視図であり、図１３は、第３の実施形態においてバッテリーに設けられた突起がソケットを係止する構造について示した図６（Ｂ）の円内の詳細断面図である。
【００３４】
本実施形態は、バッテリー４に設けられた突起４−Ｂおよびソケット７に設けられた突起７−Ｂの形状が上述した実施形態と異なる。すなわち、バッテリー４の突起４−Ａやソケット７の突起７−Ａがメモリカードに対し垂直方向で接触する構造であったのに対し、ここでは突起４−Ｂおよび突起７−Ｂのそれぞれが所定の勾配をもって傾斜している。
【００３５】
このような突起４−Ｂおよび突起７−Ｂを形成することで、上述した実施形態と同様な効果を得るだけでなく、バッテリー４が電子機器に挿入されることにより、同時にソケット７を固定する方向にスライドすることが可能となる。
【００３６】
たとえば、図１３においてソケット７が右方向に多少ずれていたとしても、バッテリー４が挿入されることでソケット７は左方向に移動することとなる。これにより、ソケット７をソケットベース上で固定させるためにスライドさせるユーザの動作を省略することが可能となる。
【００３７】
なお、突起４−Ｂと突起７−Ｂとの接触面の傾斜は突起４−Ｂおよび突起７−Ｂの接触に負荷がかかり過ぎないように滑らかであることが望ましい。一方、両突起の傾斜面の勾配が同一の場合、突起４−Ｂおよび突起７−Ｂの傾斜面の長さが長いほど、ソケット７が固定される方向に移動する距離が長くなる。このため、その傾斜面の長さおよび傾斜面の勾配はソケット７を固定される方向に移動すべき距離が考慮されて決定されることが望ましい。
【００３８】
図１４は、本発明の第４の実施形態に係るソケットを示した斜視図であり、図１５は第４の実施形態においてバッテリーに設けられた突起がソケットを係止する構造について示した図６（Ｂ）の円内の詳細断面図である。
【００３９】
本実施形態は、ソケット７に凹み７−Ｈを設け、ソケット７がソケットベース６上をスライドして固定された場合に、その凹みに嵌合するように突起４−Ｃがバッテリー４の対応する位置に設けられた点が上述した実施形態と異なるが、これにより、第１の実施形態と同様の効果を得ることができる。
【００４０】
図１６は、本発明の第５の実施形態に係るソケットを示した斜視図であり、図１７は第４の実施形態においてバッテリーに設けられた凹みがソケットを係止する構造について示した図６（Ｂ）の円内の詳細断面図である。
【００４１】
本実施形態は、ソケット７に突起７−Ｃを設け、ソケット７がソケットベース６上をスライドして固定された場合に、その突起に嵌合するように凹み４−Ｈがバッテリー４の対応する位置に設けられた点が、上述した実施形態と異なるが、これにより、第１の実施形態と同様の効果を得ることができる。
【００４２】
なお、本発明は上述した実施形態に限定されるものではなく、その技術的範囲において種種変形して実施することが可能である。たとえば、上記各実施形態においては、メモリカード５をソケット７に格納後、ソケット７をソケットベース６との接合点６−Ｊを中心に回動してソケットベース６に収め、その後スライドさせてソケット６を固定する構造を例に説明したが、本発明の主旨に照らして、必ずしも回動する構成は必要でない。
【００４３】
また、スライドによるソケット７の一次的な固定に関しても、二次的にバッテリー４によって固定強化が為されることを考えれば、多少のふらつきがあっても構わないものである。さらに、バッテリー４やソケット７の突起や凹みに関しても、複数設けてもよい。
【００４４】
この発明は、上述した実施の形態に限定されるものではなく、その技術的範囲において種々変形して実施することができる。
【００４５】
【発明の効果】
以上のような構成によれば、電子機器にバッテリーを装着するだけで、追加的な動作をユーザに求めることなく、メモリカードをソケットに格納して電子機器内部の所定位置に固定して保持する機構を強化可能である。また、ソケットの構造を複雑化して部品点数を増加させる必要がないので、製造コストの低減もはかれる。
【図面の簡単な説明】
【図１】本発明を適用した一実施形態に係る電子機器におけるソケットとバッテリーの位置関係を示した斜視図。
【図２】ソケットにメモリカードを挿入する動作を示した斜視図。
【図３】ソケットにメモリカードが挿入された後に、該ソケットがソケットベース上をスライドしてメモリカードを固定する動作を示した斜視図。
【図４】（Ａ）ソケットがスライドされて、ソケットベースに嵌合される動作を示したソケットの側面図。（Ｂ）図４（Ａ）に示した円内の詳細側面図。
【図５】本発明の第１および第２の実施形態に係るバッテリーを示した斜視図。
【図６】（Ａ）電子機器に内蔵されたソケットの配置について該電子機器をバッテリー蓋側から見た上面図。（Ｂ）電子機器の図６（Ａ）に示した線分Ａ−Ａの断面図。
【図７】本発明の第１の実施形態に係るソケットを示した斜視図。
【図８】第１の実施形態において、バッテリーに設けられた突起がソケットを係止する構造について示した図６（Ｂ）の円内の詳細断面図。
【図９】本発明の第２の実施形態に係るソケットを示した斜視図。
【図１０】第２の実施形態において、バッテリーに設けられた突起がソケットを係止する構造について示した図６（Ｂ）の円内の詳細断面図。
【図１１】本発明の第３の実施形態に係るバッテリーを示した斜視図。
【図１２】本発明の第３の実施形態に係るソケットを示した斜視図。
【図１３】第３の実施形態においてバッテリーに設けられた突起がソケットを係止する構造について示した図６（Ｂ）の円内の詳細断面図。
【図１４】本発明の第４の実施形態に係るソケットを示した斜視図。
【図１５】第４の実施形態においてバッテリーに設けられた突起がソケットを係止する構造について示した図６（Ｂ）の円内の詳細断面図。
【図１６】本発明の第５の実施形態に係るソケットを示した斜視図。
【図１７】第４の実施形態においてバッテリーに設けられた凹みがソケットを係止する構造について示した図６（Ｂ）の円内の詳細断面図。
【符号の説明】
１     下側筐体
２     上側筐体
３     バッテリー蓋
４     バッテリー
４−Ａ、４−Ｂ、４−Ｃ      突起
５     メモリカード
６     ソケットベース
７     ソケット
７−Ａ、７−Ｂ、７−Ｃ      突起
７−Ｓ 端面
７−Ｈ 凹み
８     基板
【図１】
0003711058.tif 000002
【図２】
0003711058.tif 000003
【図３】
0003711058.tif 000004
【図４】
0003711058.tif 000005
【図５】
0003711058.tif 000006
【図６】
0003711058.tif 000007
【図７】
0003711058.tif 000008
【図８】
0003711058.tif 000009
【図９】
0003711058.tif 000010
【図１０】
0003711058.tif 000011
【図１１】
0003711058.tif 000012
【図１２】
0003711058.tif 000013
【図１３】
0003711058.tif 000014
【図１４】
0003711058.tif 000015
【図１５】
0003711058.tif 000016
【図１６】
0003711058.tif 000017
【図１７】
0003711058.tif 000018